(57)【要約】【課題】振動素子を使用した他者振動型のスピーカ装置を備えた遊技機において複数の振動素子を備えたとしてもそれらの振動が相互に干渉しにくく、なおかつ振動体の剛性を確保することのできる遊技機を提供すること。【解決手段】パチンコ遊技機の扉枠のベースプレート６３とその前面を覆う化粧パネルから構成し、ベースプレート６３を肉厚部７１と肉厚部７１に対して肉の薄い第１〜第３の肉薄部７２ａ〜７２ｃから構成し、各第１〜第３の肉薄部７２ａ〜７２ｃにエキサイタを振動子とした振動子ユニット６９を装着した。これによって第１〜第３の肉薄部７２ａ〜７２ｃ毎にそれぞれ異なる音質の効果音を発生させることができる。そして隣接する第１〜第３の肉薄部７２ａ〜７２ｃ同士は肉厚部７１を介在することによって相互に振動が伝達されにくいため、それぞれの効果音を明瞭に再生させることができる。【選択図】      図５
2010075450.tif 000002
【特許請求の範囲】
【請求項１】
機能の異なる複数のパネル体を前後方向に重複配置して組み立てるようにした遊技機において、
前記複数のパネル体の内、遊技者と対面する最前部のパネル体をベースプレートと同ベースプレートの前面に配置されて同ベースプレートを覆うカバーパネルから構成し、同ベースプレートを肉厚部と同肉厚部に対して肉の薄い肉薄部から構成し、同肉薄部に超磁歪材料又は圧電セラミックを振動子とした振動子ユニットを装着したことを特徴とする遊技機。
【請求項２】
前記ベースプレートの前記肉薄部は前記肉厚部によって複数の区画に仕切られ、それらの区画から選択される所定の複数の区画に振動子ユニットが装着されていることを特徴とする請求項１に記載の遊技機。
【請求項３】
前記肉薄部の前記振動子ユニットが装着される区画同士の厚さが異なっていることを特徴とする請求項１に記載の遊技機。
【請求項４】
前記ベースプレートは前記肉厚部に補強体を有することを特徴とする請求項１〜３のいずれかに記載の遊技機。
【請求項５】
前記補強体は前記ベースプレートの外周を包囲する金属フレームであることを特徴とする請求項４に記載の遊技機。
【請求項６】
前記最前部のパネル体はその前面に遊技領域を有するパネル体としての遊技盤の直前に配置され、同遊技領域が目視可能となる窓部を備える扉枠であり、同扉枠の前記窓部位置には裏面側の前記補強体としての透明体ユニットが振動減衰材料を介して前記ベースプレートに支持され、前記透明体ユニットの透明板体は前記窓部を覆うことを特徴とする請求項１〜５のいずれかに記載の遊技機。
【請求項７】
前記透明板体には前記振動子ユニットが装着されていることを特徴とする請求項６に記載の遊技機。
【請求項８】
前記透明板体に装着された前記振動子ユニットは遊技者と正対する位置から目視できない前記ベースプレートに遮蔽された位置に配置されていることを特徴とする請求項７に記載の遊技機。
【請求項９】
前記透明板体に装着された前記振動子ユニットは同透明板体の中心を挟んだ略対向する両縁位置に配置されていることを特徴とする請求項７又は８に記載の遊技機。
【発明の詳細な説明】
【技術分野】
【０００１】
本発明は、遊技の興趣を盛り立てるために遊技内容に応じた効果音を発生させるためのスピーカ装置を併設した遊技機に関するものである。
【背景技術】
【０００２】
従来から例えばパチンコ遊技機、パチロットあるいはスロットマシンのような遊技機では遊技盤の遊技面上に液晶ディスプレイ等の画像表示装置を備えており、遊技の状況に応じて液晶ディスプレイ上で画像の変動等の視覚的な様々な演出をして遊技の興趣を高めるようにしている。そして、この画像変動に伴ってスピーカ装置から場面に応じた音や声等の効果音を再生し遊技に更なる臨場感を与えるようにしている。
従来のスピーカ装置は紙等の薄手の材料からなるコーンを使用したコーン型スピーカユニットを音声発生部としており、遊技者に対面した最前部のパネル体、例えばパチンコ遊技機では扉枠にこのスピーカユニットは配設されている。しかし、従来のスピーカ装置はコーンを振動させるだけであり、またスピーカユニットはスペース的な制限からそれほど大きなものを配設することもできないため、遊技機の音源としては必ずしも十分ではなかった。
そのため、特許文献１のように従来のコーン型スピーカユニットを使用したスピーカ装置に代わって超磁歪材料や圧電セラミックのような振動素子を使用した他者振動型のスピーカ装置が新たに提供されている。超磁歪材料を使用した音響デバイスとしては例えばエキサイタが挙げられる。エキサイタは磁界の発生によって外形が大きく変化する性質を有する超磁歪材料のコイルを巻回した構造を有し、エキサイタを装着した物体を自身とともに振動させることによってその物体自体から音声を再生することができる音響デバイスである。特許文献１はエキサイタをウィンドユニットの透明板に装着し、透明板自体を振動させることでスペース的な制限があるこの種の遊技機のスピーカの性能を向上させるというものである。
【特許文献１】特開２００６−２０４７３４号公報
【発明の開示】
【発明が解決しようとする課題】
【０００３】
ところが、特許文献１ではその図３及び図４に示すように、１枚の透明板５３の周囲に計４つのエキサイタ５２が装着されている。そのため、各エキサイタ５２の振動が互いに干渉してしまい、個々のエキサイタに基づく効果音が十分分離していなかった。つまり、特許文献１では従来のコーン型スピーカユニットのように個々のエキサイタ５２に基づいた効果音を明瞭に再生させるには不十分であった。
本発明は、このような従来の技術に存在する問題点に着目してなされたものである。その目的とするところは、振動素子を使用した他者振動型のスピーカ装置を備えた遊技機において複数の振動素子を備えたとしてもそれらの振動が相互に干渉しにくく、なおかつ振動体の剛性を確保することのできる遊技機を提供するものである。
【課題を解決するための手段】
【０００４】
上記の目的を達成するために請求項１の発明では、機能の異なる複数のパネル体を前後方向に重複配置して組み立てるようにした遊技機において、前記複数のパネル体の内、遊技者と対面する最前部のパネル体をベースプレートと同ベースプレートの前面に配置されて同ベースプレートを覆うカバーパネルから構成し、同ベースプレートを肉厚部と同肉厚部に対して肉の薄い肉薄部から構成し、同肉薄部に超磁歪材料又は圧電セラミックを振動子とした振動子ユニットを装着したことをその要旨とする。
【０００５】
上記のような構成では、遊技者と対面する最前部のパネル体をベースプレートとそのベースプレートを覆うカバーパネルから構成し、肉厚部と肉厚部に対して肉の薄い肉薄部から構成されたベースプレートの肉薄部に超磁歪材料又は圧電セラミックを振動子とした振動子ユニットを装着したため、肉薄部が振動板となって振動子ユニットによって振動させられるとともに、肉薄部の振動は肉厚部によってそれより外方には伝わりにくくなっている。更に、肉薄部を設けていても肉厚部によってベースプレート全体としての剛性が維持されることとなる。
ここに、振動子ユニットとは振動子として超磁歪材料又は圧電セラミックを使用し、これらにその他の電気部品を組み合わせて音声電流に基づいて振動子を振動させるようにしたアッセンブリーであって、振動子ユニット及び振動子ユニットが装着される振動媒体（被振動体）をもってスピーカ装置が構成される。カバーパネルは複数枚から構成されていても構わない。
【０００６】
また、上記の目的を達成するために請求項２の発明では請求項１に記載の発明の構成に加え、前記ベースプレートの前記肉薄部は前記肉厚部によって複数の区画に仕切られ、それらの区画から選択される所定の複数の区画に振動子ユニットが装着されていることをその要旨とする。
このように複数に区画された複数の肉薄部に振動子ユニットを装着するようにすれば、遊技者が対面する遊技機の高さ方向や横方向の異なる位置から異なる効果音を発生させることができる。例えば、遊技者の顔に近い高さで人の声を再生させるようにし、下方位置で響くような低音を再生するような音源に応じた好適な位置から別々に効果音を再生させることが可能となる。
【０００７】
また、上記の目的を達成するために請求項３の発明では請求項２に記載の発明の構成に加え、前記肉薄部の前記振動子ユニットが装着される区画同士の厚さが異なっていることをその要旨とする。
このように振動子ユニットが装着される複数に区画された複数の肉薄部が異なる厚さで形成されていれば、振動子ユニットによって肉薄部が励振させられる際に例えば同じ音源であっても得られる効果音の音圧レベルや音質が異なることとなる。従って、音源が複数ある場合にはそれぞれの音源に応じた好適な音質が得られるように厚さを変更することでより臨場感のある効果音を創出することができる。
【０００８】
また、上記の目的を達成するために請求項４の発明では請求項１〜３のいずれかに記載の発明の構成に加え、ベースプレートは前記肉厚部に補強体を有することをその要旨とする。このような構成とすれば肉薄部を設けることにより剛性の低下に対してベースプレートの剛性を維持することが容易となり、このように肉厚部に補強体を配すれば肉薄部の振動の支障になることはない。
また、上記の目的を達成するために請求項５の発明では請求項４に記載の発明の構成に加え、前記補強体は前記ベースプレートの外周を包囲する金属フレームであることをその要旨とする。金属フレームはねばり強く、かつ剛性も高いので補強体として最適であるからである。
【０００９】
また、上記の目的を達成するために請求項６の発明では請求項１〜５のいずれかに記載の発明の構成に加え、前記最前部のパネル体はその前面に遊技領域を有するパネル体としての遊技盤の直前に配置され、同遊技領域が目視可能となる窓部を備える扉枠であり、同扉枠の前記窓部位置には裏面側の前記補強体としての透明体ユニットが振動減衰材料を介して前記ベースプレートに支持され、前記透明体ユニットの透明板体は前記窓部を覆うことをその要旨とする。
これによって扉枠の窓部が取り付けられたベースプレートからの振動を受けることはなく、遊技者が窓部の透明体ユニットの透明板体を通して遊技盤の遊技領域を目視する際に透明体ユニットの透明板体が振動することによって生じる見にくさを解消することができる。
また、上記の目的を達成するために請求項７の発明では請求項６に記載の発明の構成に加え、前記透明板体には前記振動子ユニットが装着されていることをその要旨とする。
このように構成すれば、透明体ユニットからも所定の効果音を再生させることが可能となる。
また、上記の目的を達成するために請求項８の発明では請求項７に記載の発明の構成に加え、前記透明板体に装着された前記振動子ユニットは遊技者と正対する位置から目視できない前記ベースプレートに遮蔽された位置に配置されていることをその要旨とする。
このような構成では、遊技者から振動子ユニットが目視されにくいため、振動子ユニットが遊技の際の邪魔となることがない。
また、上記の目的を達成するために請求項９の発明では請求項７又は８に記載の発明の構成に加え、前記透明板体に装着された前記振動子ユニットは同透明板体の中心を挟んだ略対向する両縁位置に配置されていることをその要旨とする。
このような構成では、透明板体の振動が均一となり、ガラスユニットからの効果音が位置によって指向性が偏ることなくバランスよく再生される。
【発明の効果】
【００１０】
上記請求項１〜９に記載された発明では、ベースプレートが肉厚部と同肉厚部に対して肉の薄い肉薄部から構成され、肉薄部に振動子ユニットを装着したため、ベースプレートから効果音を再生する際に最適な振動板として提供できるとともに、ベースプレートの強度も維持することができる。
【発明を実施するための最良の形態】
【００１１】
以下、本発明の各実施の形態について図面に基づいて説明する。
図１〜図３に示すように、パチンコ遊技機の分類上いわゆる第１種に区分されるパチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には遊技機本体１４が装着されている。後方パネル体としての遊技機本体１４はパチンコ遊技機の構造的な中核を形成する正面視において長方形形状をなすパネル状の構成部材であって、外枠１２内において幕板１３上に配置されている。図１〜図３に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図２参照）を軸心として前方側に開放可能とされている。図２に示すように、遊技機本体１４は開閉軸線Ｐ側とは逆側の側縁に上下方向に間隔を開けて２箇所にラッチ機構Ｌ１が配設されている。ラッチ機構Ｌ１は遊技機本体１４が外枠１２に対して閉塞された際に外枠１２側の図示しない挿入溝に挿入されて係合しロック状態とされる。
【００１２】
図３に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。
本体枠側機構部１６の背面側にはすべての遊技球を回収して一旦機外に放出させるための遊技球回収通路２６が形成されている（図２参照）。
【００１３】
図２に示すように、本体枠側機構部１６の上方には遊技盤取り付けスペース２５が形成され、遊技盤２７が同スペース２５内に配設されている。同スペース２５は遊技盤２７が載置される棚部２８（図２参照）と、略楕円形状に切り欠き形成された窓孔２９を有している。窓孔２９の周囲は棚部２８に載置された遊技盤２７の前面周縁が当接する前板部３０とされている。図２に示すように、木製の遊技盤２７の外郭は略正方形形状とされ、棚部２８に載置された状態で図示しない係止手段によって前板部３０に対して圧着固定される。図２に示すように、遊技盤２７は同スペース２５に配設された状態で前面に形成された遊技面２７ａが窓孔２９から前方に露出される。窓孔２９を包囲する壁面３１の一部は後述する遊技領域の一部を画定する。
【００１４】
遊技体の一部をなす遊技盤２７には遊技面２７ａから裏面に貫通する大小複数の開口部が形成され、各開口部にはそれぞれ目的に応じた各種装飾パネルが併設されている。遊技盤２７の略中央には可変表示ユニット３５が配設されている。可変表示ユニット３５は大型の液晶ディスプレイ３６を備えている。図２に示すように可変表示ユニット３５は遊技盤２７背面に配置される表示制御装置３７を備えている。表示制御装置３７の下方には主制御装置及び音声ランプ制御装置３４が配設されている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかった遊技球はアウト口４２を通って図示しない球排出路の方へと案内されるようになっている。遊技盤２７の表面には、遊技球の落下方向を適宜分散、調整等するために多数の遊技釘が植設されている。また、風車４３等の各種部材（役物）が配設されている。
【００１５】
遊技盤２７の遊技面２７ａ上には、外レール５１とレール部材としての内レール５２が装着されている。遊技盤２７が遊技機本体１４の遊技盤取り付けスペース２５に配設された状態で両レール５１，５２及び前記遊技機本体１４側の窓孔２９を包囲する壁面３１の一部によって遊技面２７ａに遊技領域が画定されている。
図３に示すように、外レール５１は前記パチンコ球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００１６】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出されたパチンコ球の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
外レール５１及び内レール５２は帯状の同幅に形成されたステンレス製薄板条体から構成されている。両レール５１，５２は遊技面２７ａに対して前方に向かって略垂直に立設されている。
【００１７】
遊技球（パチンコ球）はパチンコ球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、パチンコ球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出された遊技球は落下しながら遊技釘、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球、アウト口４２に導かれたアウト球は遊技機本体１４背面の遊技球回収通路２６に集合し、機外に一旦放出される。
【００１８】
遊技機本体１４の前面には扉枠６１が配設されている。図１及び図２に示すように、扉枠６１は遊技機本体１４の正面から見た外郭と略一致した長方形形状の外郭の正面形状を有している。扉枠６１は遊技機本体１４に対して開閉可能に取り付けられている。扉枠６１は遊技機本体１４と同様前記開閉金具１５の開閉軸線Ｐと同軸に取り付けられた開閉金具５４を軸心として前方側に開放可能とされている。そのため、遊技機本体１４は外枠１２に対して開閉可能とされるとともに、扉枠６１は外枠１２と遊技機本体１４のそれぞれに対して独立して開閉可能とされている。
図２に示すように、扉枠６１には開閉軸線Ｐ側とは逆側の側縁に上下方向に間隔を開けて３箇所にラッチ機構Ｌ２が配設されている。ラッチ機構Ｌ２は前面扉６１が遊技機本体１４に対して閉塞された際に遊技機本体１４側の挿入溝Ｄ２に挿入されて係合しロック状態とされる。ロック状態の解除は遊技機本体１４背面側からの図示しない解除装置の操作によって行われる。
【００１９】
図４〜図６に示すように、扉枠６１はＡＢＳ樹脂製のパネル体から構成されるベースプレート６３を有している。ベースプレート６３には遊技者が遊技面２７ａを目視するための窓部としての目視用窓孔６２が形成されている。目視用窓孔６２は略楕円形状に形成され、扉枠６１が遊技機本体１４に対して閉鎖された状態で同遊技機本体１４側の窓孔２９と対峙する。図５に示すように、ベースプレート６３の背面側であって目視用窓孔６２の周囲には後述するガラスユニット７５の位置決め用の取り付け凹部５７が形成されている。取り付け凹部５７はガラスユニット７５の外郭形状に対応した形状でベースプレート６３の背面のベース面６３ａの高さに対して段違いとなるように窪んで構成されている。これによって装着作業時に取り付け凹部５７にガラスユニット７５を嵌合させることで扉枠６１の背面でのガラスユニット７５の装着位置が瞬時に定まるため、作業効率が向上する。
取り付け凹部５７の周囲のベース面６３ａ上には所定の位置（本実施の形態では３箇所）にガラスユニット７５固定用のクランプレバー５８が配設されている。ベースプレート６３の背面側であって目視用窓孔６２の上部には横長の収容部５９が形成されている。収容部５９内にはクランプユニット６０が吊り下げ支持されている。
【００２０】
目視用窓孔６２の下部領域にはいくつかの連通口が形成されている。図５において目視用窓孔６２の下部右方には前記上部パチンコ球流入路２１から流入するパチンコ球の扉枠６１前面側への流出口となる主流出口６５が形成されている。図４において目視用窓孔６２の下部中央には前記下部パチンコ球流入路２２から流入するパチンコ球の扉枠６１前面側への流出口となる下皿用流出口６６が形成されている。図４において目視用窓孔６２の下部左方には前記送球部１９と連通されて発射用のパチンコ球を流下させる発射球流下口６７が形成されている。
ベースプレート６３の背面側であって目視用窓孔６２の上方の左右端寄りの領域及び上記主流出口６５と発射球流下口６７の間の３箇所の位置にはそれぞれエキサイタを使用したスピーカ装置の一部をなす振動子ユニット６９が配設されている。エキサイタは磁気回路と駆動コイル及び超磁歪素子から構成され、本実施例では振動子ユニット６９は図示しない音声ランプ制御装置から出力される音声電流に基づいて駆動されるものとする。
【００２１】
図１２はベースプレート６３における肉厚部７１と肉薄部７２の分布状態を説明する説明図である。肉厚部７１は図１２において斜線で示されるベースプレート６３の四方全周を略均等幅で包囲する周縁部と、前記収容部５９の背面部分と後述するガラスユニット７５が載置される目視用窓孔６２の周縁部に設けられている。本実施例ではこれらの箇所を順に第１〜第３の肉厚部７１ａ〜７１ｃとする。第１〜第３の肉厚部７１ａ〜７１ｃは相互に連接されている。その結果、肉薄部７２はこれら第１〜第３の肉厚部７１ａ〜７１ｃによって３つの領域に包囲された区画されることとなっている。目視用窓孔６２の上部左右に配置された略三角形形状の領域はそれぞれ第１及び第２の肉薄部７２ａ，７２ｂとされている。目視用窓孔６２の下部領域は第３の肉薄部７２ｃとされている。第１及び第２の肉薄部７２ａ，７２ｂはほぼ同じ面積の対象形状でかつ同じ厚みに形成されている。第３の肉薄部７２ｃは第１及び第２の肉薄部７２ａ，７２ｂよりも面積は大きくかつ、より薄肉に形成されている。
本実施例では第１及び第２の肉薄部７２ａ，７２ｂ部分の平均厚みを５．０ｍｍとし、第３の肉薄部７２ｃの平均厚みを３．０ｍｍとした。一方、本実施例では第１〜第３の肉厚部７１ａ〜７１ｃの平均厚みを１８ｍｍとした。
図７及び図１１に示すように、ベースプレート６３の周囲四方にはそれぞれ金属フレーム７０ａ〜７０ｄが配設されている。各金属フレーム７０ａ〜７０ｄはベースプレート６３の四方の各木口面に形成された図示しないスリット内にそれぞれ挿入され、ベースプレート６３に装着される他の部品とともにねじ等の固定手段によって固定されている。
【００２２】
図６、図１０（ａ）〜図１０（ｃ）に示すようにベースプレート６３の背面には透明体ユニットとしてのガラスユニット７５が配設されている。ガラスユニット７５はベースプレート６３に形成された前記取り付け凹部５７内に配置されている。ガラスユニット７５は、モールド成形によって一体的に製造されたＡＢＳ樹脂製のガラスフレーム７６を備えている。ガラスフレーム７６には前後二枚の透明板体としてのガラス板７７，７８が所定間隔を開けて平行に装着されている。本実施の形態では、ガラスフレーム７６が保持枠体に相当し、ガラス板７７，７８が透明板に相当する。ガラスフレーム７６は楕円環状の外形形状を有し、細枠部７９と細枠部７９の一部が外方に拡張された膨出部８０とから基本形状が構成されている。
膨出部８０はガラスフレーム７６のベースプレート６３への装着状態で正面からみて細枠部７９の左斜め下方向の側部（背面からの目視となる図６では右斜め下方向の側部）から外方に向かって膨出状に形成されている。膨出部８０の表面側（図１０（ａ）で示される面）には凹部８１が形成されている。凹部８１内においてリブ８２で区画された収容領域Ｓには乾燥剤８３が収容されている。
ガラスフレーム７６にはベースプレート６３への装着状態で裏面からみて（図６の状態）右側上部位置に上部ブラケット８５が形成されている。上部ブラケット８５先端には下方に向かって突起した回動軸８６が形成されている。膨出部８０の外方には下部ブラケット８７が形成されている。下部ブラケット８７先端には下方に向かって突起した回動軸８８が形成されている。両回動軸８６，８８の軸心は同一直線上に存在する。細枠部７９の上部には左右一対のクランプブラケット９０が突出形成されている。細枠部７９の外周位置には適当な間隔をおいて３つの押さえ板９１が配設されている。ガラスフレーム７６の前面側（図１０（ａ）で示される面）の細枠部７９及び膨出部８０の外縁を包囲する凸条９２の表面には振動減衰材料としてのゴムスポンジからなるリング体９３が貼着されている。ガラスフレーム７６はベース面６３ａに対して上下部ブラケット８５，８７を介して開閉可能に取り付けられている。
ガラスユニット７５は取り付け凹部５７内においてリング体９３がベースプレート６３裏面に当接した状態で配置され、その状態でクランプブラケット９０は収容部５９内に配置されてクランプユニット６０によって固定されるとともに、各押さえ板９１がクランプレバー５８によって固定されている。
【００２３】
図９に示すように、ベースプレート６３の前面側には４つの化粧パネル９５ａ〜９５ｄと上受け皿パネル９６及び下受け皿パネル９７が配設されている。化粧パネル９５ａ〜９５ｄと上受け皿パネル９６及び下受け皿パネル９７は全体としてデザイン的な統一が図られており、これらパネル９５ａ〜９５ｄ、９６、９７は装飾用パネルとしての役割を果たす。これらパネル９５ａ〜９５ｄ、９６、９７は振動減衰材料としてのゴムスポンジからなるシート体９９を介してベースプレート６３の前面に固着されている。
目視用窓孔６２の左右及び上方に配置された装飾用パネル９５ａ〜９５ｃ内には装飾ランプとしてのＬＥＤユニット９４が配設されている。
目視用窓孔６２の下方位置には上受け皿パネル９７が配設されている。上受け皿パネル９７は図示しない払出装置より払い出された遊技球を一旦貯留し、一列に整列させながらパチンコ球発射ユニット１７に導くための上受け皿９８を備えた球貯留部であり、全体として大きく前方に膨出した形状を有する。上受け皿９８の上流位置には前記主流出口６５が配置されている。主流出口６５は前記遊技機本体１４側の上部パチンコ球流入路２１と接続され後述する遊技球供給装置２２１（図２参照）から供給されるパチンコ球を上受け皿９８に導入させる。
上受け皿パネル９７の下方位置には、前側へ膨出した下受け皿パネル９７が配設されている。下受け皿パネル９７は下受け皿１００を備えている。正面から見て下受け皿１００の左方には灰皿１０１が配設されている。下受け皿１００の右方には遊技球発射ユニット１７と連動するパチンコ球打ち出し用ハンドル１０２が前方に突出形成されている。
下受け皿１００はバイパス通路２３及びファール球通路２４から流下するパチンコ球を下皿用流出口６６を介して受け入れて貯留したり、遊技者の能動的な操作に基づいて上受け皿９８から流下させたパチンコ球を貯留するための補助的な球貯留部である。
【００２４】
次に遊技盤２７の背面構成について図２に基づいて説明する。
遊技機本体１４（遊技盤２７）の背面には各種制御装置が重複状に配置されている。制御装置は大きく３つにユニット化されており、タンク２２０や遊技球を供給するための遊技球供給装置２２１、保護カバー２２３等を備えた第１ユニット２２４、払出制御装置、発射制御装置及び電源装置を備えた第２ユニット２２６から構成されている。
【００２５】
上記のような振動子ユニット６９を備えたパチンコ遊技機１１では、振動子ユニット６９が駆動されると次のような作用が生じる。
まず、音声電流が振動子ユニット６９に流れると、エキサイタの駆動コイルがその電流の強弱に従って励磁され素子を振動させる。この振動に伴って各第１〜第３の肉薄部７２ａ〜７２ｃがそれぞれ独自に振動し、ベースプレート６３前面の空気に粗密層を励振させ音を発生させることとなる。第１〜第３の肉薄部７２ａ〜７２ｃの振動はそれぞれ独立であって、隣接する第１〜第３の肉薄部７２ａ〜７２ｃには肉厚部７１が介在されるため直接的には伝わりにくくなっている。そのため、各第１〜第３の肉薄部７２ａ〜７２ｃ自体から別々に音圧レベルの高い効果音を明瞭に再生させることができる。つまり、３チャンネルのステレオ効果を与えることができることとなる。例えば、左右の第１及び第２の肉薄部７２ａ，７２ｂには左右それぞれの方向から音声が分かれて聞こえるような左右ステレオ効果を与えるとともに、下方の第３の肉薄部７２ｃからはそれらの音を混合したモノラル音声を出すようにしたり、あるいは左右の第１及び第２の肉薄部７２ａ，７２ｂに左右ステレオ効果を与えるとともに、下方の第３の肉薄部７２ｃからはそれらの音とは別の音、例えばごく低音の効果音を出すようにすることが可能である。
また、ベースプレート６３裏面に面着されているガラスユニット７５は肉厚部７１のうち、特に第３の肉厚部７１ｃによって振動が伝わりにくくなっているのに加えリング体９３を介在しているため更に振動が伝わりにくいものとなっている。また、ベースプレート６３表面に固着されている４つの化粧パネル９５ａ〜９５ｄと上受け皿パネル９６及び下受け皿パネル９７もシート体９９を介してベースプレート６３の前面に固着されているため、やはり第１〜第３の肉薄部７２ａ〜７２ｃの振動が伝わりにくくなっている。
【００２６】
このように構成されたパチンコ遊技機１１では、次のような効果が奏される。
（１）従来のようなコーン式のスピーカ装置ではなくエキサイタを使用した振動子ユニット６９を使用し、それら振動子ユニット６９が装着される第１〜第３の肉薄部７２ａ〜７２ｃとともに扉枠６１全体をスピーカ装置としたため、第１〜第３の肉薄部７２ａ〜７２ｃがそれぞれ振動することとなって大きな放射面積が得られ遊技機としての十分な音圧レベルの効果音を発することが可能となる。そのため、騒音の多い環境で使用される遊技機として十分な音量や音質を得ることができる。また、本実施例では３つの異なる種類の効果音、つまり３チャンネルの音を極めて分離性能よく再生させることができるので、遊技における臨場感が非常に高まる。
（２）各第１〜第３の肉薄部７２ａ〜７２ｃ毎にそれぞれ振動子ユニット６９が配設されているため、各第１〜第３の肉薄部７２ａ〜７２ｃ毎にそれぞれ異なる音質の効果音を発生させることができ、なおかつ隣接する第１〜第３の肉薄部７２ａ〜７２ｃ同士は肉厚部７１を介在することによって相互に振動が伝達されにくいため、それぞれの効果音を明瞭に再生させることができる。
（３）ベースプレート６３に肉薄部７２を設けなおかつ肉厚部７１によって複数の領域に区画し、それぞれにエキサイタを使用した振動子ユニット６９を配設したため複数の効果音を明瞭に再生することができることとなるが、肉厚の薄い肉薄部７２を設けているためどうしても剛性、特にひねりに対する強度が低下することとなる。上記実施例では外方から補強体となる金属フレーム７０ａ〜７０ｄで包囲するとともに、周囲に金属フレーム７０ａ〜７０ｄを配置したため、ひねりに強く、なおかつベースプレート６３の前面にベースプレート６３の前面側には補強体となる４つの化粧パネル９５ａ〜９５ｄと上受け皿パネル９６及び下受け皿パネル９７を固着したため、肉薄部７２を設けていないベースプレートと比較しても十分遜色のない剛性を維持することとなる。
（４）ガラスユニット７５には第１〜第３の肉薄部７２ａ〜７２ｃの振動が伝達されにくくなっているため、各肉薄部７２ａ〜７２ｃからの直接的な振動の伝達を受けて（共振することはありうる）ガラス板７７，７８がいわゆるびびるようなことはない。
（５）ベースプレート６３表面に固着されている４つの化粧パネル９５ａ〜９５ｄと上受け皿パネル９６及び下受け皿パネル９７にも第１〜第３の肉薄部７２ａ〜７２ｃの振動が伝達されにくくなっているため、その振動による影響、例えば部材の固着位置からの緩み等の不具合が生じにくくなっている。
（６）第１及び第２の肉薄部７２ａ，７２ｂに比べて第３の肉薄部７２ｃは若干厚みが薄いため、第１及び第２の肉薄部７２ａ，７２ｂは第３の肉薄部７２ｃよりも相対的に高音を再生させるのに適している。逆にいえば第３の肉薄部７２ｃは第１及び第２の肉薄部７２ａ，７２ｂよりも相対的に低音を再生させるのに適していることとなる。そして、第１及び第２の肉薄部７２ａ，７２ｂはちょうど遊技者の顔の辺りに配置されるため指向性のある高音の再生に適していることとなり。第３の肉薄部７２ｃは遊技者の体の中心辺りに配置されるため遊技者の体全体で低音を実感させることが適している。これによってより遊技者に臨場感を与えるような効果音を再生することが可能となる。
【００２７】
本発明は以下のような態様に変更して実施することが可能である。
・上記実施例ではベースプレート６３に設けられた肉薄部７２は第１〜第３の肉薄部７２ａ〜７２ｃのを３つの領域に区画したが、３つに限定されるものではない。
・複数の肉薄部については、材質が同じであれば厚く、面積が小さい方が高音に適するため、上記のように高音を出したい上方側に第１及び第２の肉薄部７２ａ，７２ｂを配し、低音を出したい下方側に第３の肉薄部７２ｃを配した。しかし、このような配置に限定されるものではなく、適宜複数の肉薄部の厚さや大きさを変更することは自由である。
・上記ではガラスユニット７５のガラス板７７，７８に肉薄部７２ａ〜７２ｃの振動が伝達されないようにしていたが、図１３に示すように積極的にガラス板７７，７８（特に前面側ガラス板７７）にエキサイタを使用した振動子ユニット６９を装着するようにしてもよい。
上記のようにガラスユニット７５はリング体９３を介在させるため自身にベースプレート６３からの振動が伝達されないと同時に、ガラスユニット７５から分割プレート７２ａ〜７２ｃ側へも振動は伝わらないので、このような構成も考えられるわけである。
振動子ユニット６９を目視させないためにはなるべく縁寄りに隠すように配置することが好ましいが、その場合にはなるべく振動をガラス板７７全面に均一に分布させるため図１３のようにガラス板７７の１８０度対向する縁位置に一対の振動子ユニット６９を配設することが好ましい。また、このようにベースプレート６３の目視用窓孔６２から外方に寄った位置では目視用窓孔６２と遊技者からはガラス板７７に装着された振動子ユニット６９は見えないため遊技の邪魔となることもない。
・上記実施例では振動子ユニットとしてエキサイタを使用したが、圧電セラミックを振動子とした振動子ユニットでも構わない。
・振動子ユニット（及び使用される振動子）は被振動体（上記では分割プレート７２ａ〜７２ｃ）の材質や大きさに応じて適宜変更可能である。基本的には被振動体に適合した出力の振動子ユニットを使用することが好ましい。
・上記実施例では振動減衰材料としてゴムスポンジを使用したが、発泡ウレタン等その他の振動減衰材料を使用してもよい。また、クッション体７３等の形状も上記に限定されるものではない。
・幕板１３も分割プレートの一種と考えこれに振動子ユニットを配設するようにしてもよい。
上記実施例ではベースプレート６３の材質はＡＢＳ樹脂製としたが、エキサイタからの振動が全体に十分伝達できるような材質であればこれに限定されるものではない。
・上記実施例では補強体として金属フレーム７０ａ〜７０ｄや化粧パネル９５ａ〜９５ｄ等を使用したが、それ以外の補強体を適宜ベースプレート６３に配設するようにしても構わない。
・上記実施の形態のパチンコ遊技機１１以外の機種に応用することも自由である。またパチンコ遊技機以外のスロットマシンやいわゆるパチロットに応用することも可能である。
その他、本発明の趣旨を逸脱しない態様で実施することは自由である。
【図面の簡単な説明】
【００２８】
【図１】本発明を応用した実施の形態のパチンコ遊技機の正面図。
【図２】同じパチンコ遊技機の分解斜視図。
【図３】同じパチンコ遊技機の扉枠を取り去った状態の正面図。
【図４】同じパチンコ遊技機の扉枠のベースプレートの正面図。
【図５】同じパチンコ遊技機の扉枠のベースプレートの背面図。
【図６】図５においてガラスユニットを装着した状態の背面図。
【図７】同じパチンコ遊技機の扉枠の扉枠のを分割プレート毎に分割するとともに金属フレームをそれぞれの取り付け縁側に配置した説明図。
【図８】同じパチンコ遊技機の扉枠の扉枠の側分解図。
【図９】同じパチンコ遊技機の扉枠の各装飾用パネルをその外郭線で境界を分かりやすく説明した説明図。
【図１０】（ａ）はガラスユニットの斜視図、（ｂ）は同じく側面図、（ｃ）は同じく部分拡大断面図。
【図１１】（ａ）〜（ｄ）はそれぞれ金属フレームの斜視図。
【図１２】ベースプレートにおける肉厚部と肉薄部の分布状態の概略を説明する説明図。
【図１３】他の実施例のガラスユニットの部分拡大断面図。
【符号の説明】
【００２９】
１１…パチンコ遊技機、６１…扉枠、６３…ベースプレート、６９…振動子ユニット、７０ａ〜７０ｄ…補強体としての金属フレーム、７１ａ〜７１ｃ…肉厚部、７２ａ〜７２ｃ…肉薄部、９５ａ〜９５ｄ…補強体としての化粧パネル、９６…補強体としての上受け皿パネル、９７…補強体としての下受け皿パネル。
【図１】
2010075450.tif 000003
【図２】
2010075450.tif 000004
【図３】
2010075450.tif 000005
【図４】
2010075450.tif 000006
【図５】
2010075450.tif 000007
【図６】
2010075450.tif 000008
【図７】
2010075450.tif 000009
【図８】
2010075450.tif 000010
【図９】
2010075450.tif 000011
【図１０】
2010075450.tif 000012
【図１１】
2010075450.tif 000013
【図１２】
2010075450.tif 000014
【図１３】
2010075450.tif 000015